(57)【要約】      （修正有）【課題】接着剤を使用せずにＶＣＭの上部ＶＣＭブロックの位置を固定できるハードディスクドライブ及びその製造方法を提供する。【解決手段】外周部が互いに結合されて内部空間を形成するベース部材１０１及びカバー部材と、ベース部材上にピボット可能に装着されるアクチュエータと、互いに離隔された下部ＶＣＭブロック１４１と上部ＶＣＭブロック１５０とを含み、アクチュエータの後端部が下部ＶＣＭブロックと上部ＶＣＭブロックとの間に介在されているボイスコイルモータと、アクチュエータの後端部と接触して、アクチュエータのピボット範囲を制限するクラッシュストッパー１６０と、を備え、外乱による上部ＶＣＭブロックの位置変動が防止されるように、クラッシュストッパーの上端部が上部ＶＣＭブロックに収容される。【選択図】図３
2007141433.tif 000002
【特許請求の範囲】
【請求項１】
外周部が互いに結合されて内部空間を形成するベース部材及びカバー部材と、
前記ベース部材上にピボット可能に装着されるアクチュエータと、
互いに離隔された下部ＶＣＭブロックと上部ＶＣＭブロックとを含み、前記アクチュエータの後端部が前記下部ＶＣＭブロックと前記上部ＶＣＭブロックとの間に介在されているボイスコイルモータと、
前記アクチュエータの後端部と接触して、前記アクチュエータのピボット範囲を制限するクラッシュストッパーと、
を備え、
外乱による前記上部ＶＣＭブロックの位置変動が防止されるように、前記クラッシュストッパーの上端部が前記上部ＶＣＭブロックに収容されることを特徴とする、ハードディスクドライブ。
【請求項２】
前記クラッシュストッパーは、上端部が前記上部ＶＣＭブロックに収容されるピンと、前記ピンの外周を取り囲むダンパーと、を備えたことを特徴とする、請求項１に記載のハードディスクドライブ。
【請求項３】
前記上部ＶＣＭブロック及び前記下部ＶＣＭブロックは、それぞれ、マグネットと該マグネットを支持するヨークとを備え、
前記上部ＶＣＭブロックのヨークに前記ピンの上端部を収容する貫通孔が形成されたことを特徴とする、請求項２に記載のハードディスクドライブ。
【請求項４】
前記ピンの上端部には、ピン側チャンファーが形成され、前記貫通孔の下側部には、前記ピン側チャンファーに対応するヨーク側チャンファーが形成されたことを特徴とする、請求項３に記載のハードディスクドライブ。
【請求項５】
前記クラッシュストッパーは、前記ベース部材に押し込み装着されたことを特徴とする、請求項１に記載のハードディスクドライブ。
【請求項６】
前記クラッシュストッパーは、前記アクチュエータの時計回り方向にピボット範囲を制限するか、または反時計回り方向にピボット範囲を制限することを特徴とする、請求項１に記載のハードディスクドライブ。
【請求項７】
前記下部ＶＣＭブロックに対する前記上部ＶＣＭブロックの位置整列のために、前記上部ＶＣＭブロックは、ガイド突起を備え、前記下部ＶＣＭブロックは、前記ガイド突起を収容するガイド溝を備えたことを特徴とする、請求項１に記載のハードディスクドライブ。
【請求項８】
前記上部ＶＣＭブロックと前記下部ＶＣＭブロックとの間隔が維持されるように、前記上部ＶＣＭブロックには、下部ＶＣＭブロックに支持されるスペーサが設けられたことを特徴とする、請求項１に記載のハードディスクドライブ。
【請求項９】
前記カバー部材の内側面には、前記上部ＶＣＭブロックを前記ベース部材側に加圧して、前記下部ＶＣＭブロックと前記上部ＶＣＭブロックとの分離を抑制する、弾性素子からなる加圧パッドが付着されたことを特徴とする、請求項１に記載のハードディスクドライブ。
【請求項１０】
下部ＶＣＭブロックと上部ＶＣＭブロックとを有するボイスコイルモータをベース部材上に設け、前記下部ＶＣＭブロックと前記上部ＶＣＭブロックとの間にアクチュエータの後端部が介在されるように、前記アクチュエータを前記ベース部材上にピボット可能に装着し、前記アクチュエータの後端部と接触して前記アクチュエータのピボット範囲を制限するクラッシュストッパーを前記下部ＶＣＭブロックより前記上部ＶＣＭブロック側に突出して設け、前記ベース部材の外周部にカバー部材を結合する過程を含み、
外乱による前記上部ＶＣＭブロックの位置変動が防止されるように前記クラッシュストッパーの上端部が前記上部ＶＣＭブロックに収容されることを特徴とする、ハードディスクドライブの製造方法。
【請求項１１】
前記ボイスコイルモータを設け、前記アクチュエータを装着する過程は、
前記ベース部材上に前記下部ＶＣＭブロックを設置する段階と、
前記アクチュエータの後端部が前記下部ＶＣＭブロック上に位置するように、前記アクチュエータを前記ベース部材に装着する段階と、
前記上部ＶＣＭブロックを前記下部ＶＣＭブロック及び前記アクチュエータの後端部上に設置する段階と、
を含むことを特徴とする、請求項１０に記載のハードディスクドライブの製造方法。
【請求項１２】
前記クラッシュストッパーは、前記上部ＶＣＭブロックを配置する前に予め前記下部ＶＣＭブロックより突出して設けられ、前記上部ＶＣＭブロックを前記下部ＶＣＭブロック及び前記アクチュエータの後端部上に配置すれば、前記クラッシュストッパーの上端部が前記上部ＶＣＭブロックに収容されることを特徴とする、請求項１１に記載のハードディスクドライブの製造方法。
【請求項１３】
前記クラッシュストッパーは、前記ベース部材に押し込み装着することを特徴とする、請求項１０に記載のハードディスクドライブの製造方法。
【請求項１４】
前記カバー部材の内側面には、弾性素子からなる加圧パッドが付着され、前記カバー部材を前記ベース部材の外周部に結合すれば、前記下部ＶＣＭブロックと前記上部ＶＣＭブロックとの分離が抑制されるように、前記加圧パッドが前記上部ＶＣＭブロックを前記ベース部材側に加圧することを特徴とする、請求項１０に記載のハードディスクドライブの製造方法。
【発明の詳細な説明】
【技術分野】
【０００１】
本発明は、ハードディスクドライブ及びその製造方法に係り、さらに詳細には、ボイスコイルモータ（ＶＣＭ：Ｖｏｉｃｅ  Ｃｏｉｌ  Ｍｏｔｏｒ）の上部ＶＣＭブロックと下部ＶＣＭブロックとの位置ずれのないＶＣＭの位置固定構造に関する。
【背景技術】
【０００２】
ハードディスクドライブ（ＨＤＤ：Ｈａｒｄ  Ｄｉｓｋ  Ｄｒｉｖｅ）は、コンピュータ、ＭＰ３プレーヤー、携帯電話などに使われる補助記憶装置の一例であって、磁気ヘッドを含むアクチュエータによって記録媒体であるディスクに、または、ディスクからデータを記録・再生する装置である。磁気ヘッドがディスク上でデータを記録する位置、またはデータが記録された位置を探すことができるように、アクチュエータは、ベース部材に装着されたまま時計回り方向または反時計回り方向にピボットする。アクチュエータは、その後端部に巻線されたＶＣＭコイルに入力される電流と、ＶＣＭのマグネットによって形成された磁場との相互作用により誘発された電磁力によって駆動される。
【０００３】
図１は、従来のＶＣＭの一例を部分的に示す分解斜視図である。
【０００４】
図１を参照すれば、ＶＣＭ１０は、アクチュエータの後端部（図示せず）がそれらの間に介在されるように互いに離隔された下部ＶＣＭブロック１１と上部ＶＣＭブロック１５とを備え、下部ＶＣＭブロック１１がベース部材１上に装着される。上部ＶＣＭブロック１５には、少なくとも一つ以上の結合突起１７が設けられ、下部ＶＣＭブロック１１には、結合突起１７と嵌合する少なくとも一つ以上の結合溝１３が設けられる。そして、上部ＶＣＭブロック１５を下部ＶＣＭブロック１１に位置固定するために、ＶＣＭ１０の組立時に結合溝１３に接着剤２０を充填し、結合突起１７を結合溝１３に挿入することで、下部ＶＣＭブロック１１と上部ＶＣＭブロック１５とを結合させる。なお、参照番号５は、アクチュエータ（図示せず）のピボット範囲を制限するためにベース部材１に装着されたクラッシュストッパー（ｃｒａｓｈ  ｓｔｏｐｐｅｒ）である。
【発明の開示】
【発明が解決しようとする課題】
【０００５】
しかしながら、このような接着剤を使用するＶＣＭの組立方式は、量産方式において自動化し難い作業であり、これによってアクチュエータの装着作業も自動化し難くなり、結果的にＨＤＤ組立の生産性が低下するという問題点がある。
【０００６】
そこで、本発明は、このような問題点を解決するためのものであって、接着剤を使用せずにＶＣＭの上部ＶＣＭブロックの位置を固定できるＨＤＤ及びその製造方法を提供することを目的とする。
【０００７】
また、アクチュエータのピボット範囲を制限するためのクラッシュストッパーを利用して、ＶＣＭの上部ＶＣＭブロックの位置を固定できるＨＤＤ及びその製造方法を提供することを目的とする。
【課題を解決するための手段】
【０００８】
上記課題を解決するために、本発明のある観点によれば、外周部が互いに結合されて内部空間を形成するベース部材及びカバー部材と、前記ベース部材上にピボット可能に装着されるアクチュエータと、互いに離隔された下部ＶＣＭブロックと上部ＶＣＭブロックとを含み、前記アクチュエータの後端部が前記下部ＶＣＭブロックと前記上部ＶＣＭブロックとの間に介在されているボイスコイルモータと、前記アクチュエータの後端部と接触して、前記アクチュエータのピボット範囲を制限するクラッシュストッパーと、を備え、外乱による前記上部ＶＣＭブロックの位置変動が防止されるように、前記クラッシュストッパーの上端部が前記上部ＶＣＭブロックに収容されるＨＤＤが提供される。
【０００９】
望ましくは、前記クラッシュストッパーは、上端部が上部ＶＣＭブロックに収容されるピンと、前記ピンの外周を取り囲むダンパーを備えうる。
【００１０】
望ましくは、上部ＶＣＭブロック及び下部ＶＣＭブロックは、それぞれ、マグネットとこれを支持するヨークとを備え、前記上部ＶＣＭブロックのヨークに前記ピンの上端部を収容する貫通孔が形成されうる。
【００１１】
望ましくは、前記ピンの上端部には、ピン側チャンファーが形成され、前記貫通孔の下側部には、前記ピン側チャンファーに対応するヨーク側チャンファーが形成されうる。
【００１２】
望ましくは、前記クラッシュストッパーは、ベース部材に押し込み装着されうる。
【００１３】
望ましくは、前記クラッシュストッパーは、前記アクチュエータの時計回り方向にピボット範囲を制限するか、または反時計回り方向にピボット範囲を制限するものでありうる。
【００１４】
望ましくは、下部ＶＣＭブロックに対する上部ＶＣＭブロックの位置整列のために、前記上部ＶＣＭブロックは、ガイド突起を備え、前記下部ＶＣＭブロックは、前記ガイド突起を収容するガイド溝を備えうる。
【００１５】
望ましくは、上部ＶＣＭブロックと下部ＶＣＭブロックとの間隔が維持されるように、前記上部ＶＣＭブロックには、下部ＶＣＭブロックに支持されるスペーサが設けられうる。
【００１６】
望ましくは、前記カバー部材の内側面には、上部ＶＣＭブロックをベース部材側に加圧して、前記下部ＶＣＭブロックと上部ＶＣＭブロックとの分離を抑制する、弾性素子からなる加圧パッドが付着されうる。
【００１７】
また、上記課題を解決するために、本発明の別の観点によれば、下部ＶＣＭブロックと上部ＶＣＭブロックとを備えたＶＣＭをベース部材上に設け、前記下部ＶＣＭブロックと上部ＶＣＭブロックとの間にアクチュエータの後端部が介在されるように、前記アクチュエータをベース部材上にピボット可能に装着し、前記アクチュエータの後端部と接触してアクチュエータのピボット範囲を制限するクラッシュストッパーを下部ＶＣＭブロックより上部ＶＣＭブロック側に突出して設け、前記ベース部材の外周部にカバー部材を結合する過程を含み、外乱による上部ＶＣＭブロックの位置変動が防止されるように、前記クラッシュストッパーの上端部が上部ＶＣＭブロックに収容されることを特徴とするＨＤＤの製造方法が提供される。
【００１８】
望ましくは、前記ＶＣＭを設け、アクチュエータを装着する過程は、ベース部材上に下部ＶＣＭブロックを配置する段階と、アクチュエータの後端部が前記下部ＶＣＭブロック上に位置するように、前記アクチュエータをベース部材に装着する段階と、上部ＶＣＭブロックを前記下部ＶＣＭブロック及びアクチュエータの後端部上に配置する段階と、を含みうる。
【００１９】
望ましくは、前記クラッシュストッパーは、上部ＶＣＭブロックを配置する前に予め下部ＶＣＭブロックより突出して設けられ、前記上部ＶＣＭブロックを下部ＶＣＭブロック及びアクチュエータの後端部上に配置すれば、前記クラッシュストッパーの上端部が前記上部ＶＣＭブロックに収容されうる。
【００２０】
望ましくは、前記クラッシュストッパーは、ベース部材に押し込み装着されうる。
【００２１】
望ましくは、前記カバー部材の内側面には、弾性素子からなる加圧パッドが付着されて、前記カバー部材をベース部材の外周部に結合すれば、下部ＶＣＭブロックと上部ＶＣＭブロックとの分離が抑制されるように、前記加圧パッドが上部ＶＣＭブロックをベース部材側に加圧できる。
【発明の効果】
【００２２】
本発明のＨＤＤによれば、クラッシュストッパーの上端部が外乱による上部ＶＣＭブロックの位置変動を防止して、アクチュエータの誤作動及び損傷を防止することができる。
【００２３】
また、上部ＶＣＭブロックの位置固定のための別途の固定手段を必要としないので、ＨＤＤの製造コストが節減され、ＨＤＤの小型化及び軽量化が可能となる。
【００２４】
また、本発明のＨＤＤの製造方法によれば、接着剤を使用せず、自動化生産設備を使用してトップダウン方式の組立ができるので、組立生産性及び製造コストを節減することができる。
【発明を実施するための最良の形態】
【００２５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２６】
図２は、本発明の一実施の形態によるＨＤＤを示す平面図である。
【００２７】
図２を参照すれば、ＨＤＤ１００は、外周部が互いに結合されたベース部材１０１とカバー部材（図４参照）１０５との内部に形成された空間にスピンドルモータ１１２と、それに装着されて回転するディスク１１０と、データの記録及び再生のための磁気ヘッド（図示せず）をディスク１１０上の所定位置に移動させるためのアクチュエータ１２０と、アクチュエータ１２０を回動させるためのボイスコイルモータ（ＶＣＭ；ｖｏｉｃｅ  ｃｏｉｌ  ｍｏｔｏｒ）１４０とを備える。アクチュエータ１２０は、ＨＤＤ１００のベース部材１０１に設けられたピボット中心１２１に回動自在に結合されたスイングアーム１２２と、スイングアーム１２２の先端部に設置されて、磁気ヘッドが搭載されたスライダー１２５をディスク１１０の表面側に付勢されるように支持するサスペンション１２３とを備える。アクチュエータ１２０の後端部には、ＶＣＭコイル１３５が巻線されている。
【００２８】
ＶＣＭ１４０は、ＶＣＭコイル１３５と対面するようにＶＣＭコイル１３５の下部と上部にそれぞれ配置された下部マグネット１４２と上部マグネット（図３参照）１５２とを備える。下部マグネット１４２と上部マグネット１５２は、それぞれ下部ヨーク１４３と上部ヨーク（図３参照）１５３に付着支持される。下部マグネット１４２と下部ヨーク１４３とは、下部ＶＣＭブロック１４１を構成し、上部マグネット１５２と上部ヨーク１５３とは、上部ＶＣＭブロック（図３参照）１５０を構成する。下部ＶＣＭブロック１４１と上部ＶＣＭブロック１５０は、アクチュエータの後端部１３０がそれらの間に介在されるように組み立てられてＶＣＭ１４０を形成する。
【００２９】
ＶＣＭコイル１３５に入力される電流と、下部マグネット１４２及び上部マグネット１５２により形成された磁場との相互作用により誘発された電磁力により、フレミング左手の法則による方向にアクチュエータ１２０が回動する。ＨＤＤ１００の電源がオンされてディスク１１０が回転し始めれば、前記電磁力によりアクチュエータ１２０が反時計回り方向に回動して、磁気ヘッドが搭載されたスライダー１２５がディスク１１０の記録面上に移動する。一方、ＨＤＤ１００の電源がオフされてディスク１１０の回転が停止すれば、アクチュエータ１２０が時計回り方向に回動して、スライダー１２５がディスク１１０を逸脱する。ディスク１１０の記録面を逸脱したスライダー１２５は、ディスク１１０の外郭側に設けられたランプ１７０にパーキングされる。詳述すれば、サスペンション１２３の先端部に形成されたエンドタップ１２７がランプ１４０上にリフトされてパーキングされる。
【００３０】
ＨＤＤ１００は、アクチュエータラッチ１７２を備える。アクチュエータラッチ１７２は、ディスク１１０の回転が停止してスライダー１２５がランプ１７０にパーキングされたときに、アクチュエータの後端部１３０のフック１３２と干渉してアクチュエータ１２０をロックする。ランプ１７０及びアクチュエータラッチ１７２により、ＨＤＤ１００の作動停止時に外乱によるスライダー１２５及びディスク１１０の損傷が防止される。一方、ディスク１１０の外周部に隣接したベース部材１０１の一側のコーナには、循環フィルタ１７５が設けられる。循環フィルタ１７５は、ディスク１１０の高速回転によって誘導される空気流れに含まれた粒子（ｐａｒｔｉｃｌｅ）などの異物を濾過する。
【００３１】
ＨＤＤ１００、アクチュエータ１２０の反時計回り方向のピボット範囲を制限するクラッシュストッパー１６０を備える。反時計回り方向に回動するアクチュエータ１２０は、その後端部１３０に形成されたクラッシュストッパー衝突部１３３がクラッシュストッパー１６０に衝突することで、アクチュエータ１２０の回動が機械的に停止する。これにより、外乱によるアクチュエータ１２０とスピンドルモータ１１２との衝突が防止される。
【００３２】
図３は、図２のＶＣＭを部分的に示す分解斜視図であり、図４は、図３のＩＶ−ＩＶの断面図である。
【００３３】
図３及び図４を参照すれば、クラッシュストッパー１６０は、ピン１６１と、ピン１６１の外周を取り囲むダンパー１６３とを備える。ピン１６１は、ステンレス鋼などの金属素材から形成され、ダンパー１６３は、クラッシュストッパー衝突部（図２参照）１３３との衝突時に緩衝可能なようにゴムなどの緩衝材から形成される。クラッシュストッパー１６０は、ベース部材１０１に押し込み装着されて下部ＶＣＭブロック１４１より突出する。但し、本発明のクラッシュストッパーは、ベース部材１０１に押し込み装着されることに限らず、ベース部材１０１と一体に形成されるか、または下部ＶＣＭブロック１４１に装着されても良い。
【００３４】
ピン１６１の上端部は、上部ＶＣＭブロック１５０まで延びて上部ヨーク１５３に収容される。このために、上部ヨーク１５３には、貫通孔１５５が形成される。ピン１６１の上端部が貫通孔１５５に容易に収容されるように、ピン１６１の上端部には、角を緩慢に加工したピン側チャンファー１６２が形成され、貫通孔１５５の下側部にも、ピン１６１のチャンファー１６２に対応して角を緩慢に加工したヨーク側チャンファー１５６が形成されている。
【００３５】
ＨＤＤ（図２参照）１００は、ディスク（図２参照）１１０の直径が２．５インチである小型ＨＤＤであって、生産性向上のために自動化生産設備を利用した、いわゆるトップダウン方式により組み立てられる。この方式によれば、ベース部材１０１上に下部ＶＣＭブロック１４１が配置され、次に、アクチュエータの後端部（図２参照）１３０が前記下部ＶＣＭブロック１４１上に位置するように、アクチュエータ（図２参照）１２０がベース部材１０１に装着され、次に、上部ＶＣＭブロック１５０が前記下部ＶＣＭブロック１４１及びアクチュエータの後端部１３０上に配置される。
【００３６】
組み立て過程において、下部ＶＣＭブロック１４１に対する上部ＶＣＭブロック１５０の位置整列のために、上部ＶＣＭブロック１４１は、少なくとも一つ以上のガイド突起１５８を備え、下部ＶＣＭブロック１５０は、ガイド突起１５８を収容するための同数のガイド溝１４４を備える。ガイド溝１４４には、ガイド突起１５８の進入が容易なようにチャンファーが形成されても良い。下部ＶＣＭブロック１４１と上部ＶＣＭブロック１５０とが結合される必要はないので、従来の場合に使われる接着剤（図１参照）２０が使われない。
【００３７】
ＶＣＭ１４０の下部マグネット１４２と上部マグネット１５２とは、アクチュエータの後端部（図２参照）１３０がそれらの間に介在されるように所定間隔で互いに離隔される。上部ＶＣＭブロック１５０は、前記間隔が維持されるように下部ヨーク１４３に直接支持される少なくとも一つ以上のスペーサ１５７を備える。
【００３８】
ＨＤＤ１００の生産性向上、生産コストの節減及び軽量化のために、下部ＶＣＭブロック１４１と上部ＶＣＭブロック１５０とは、螺合されない。但し、ＨＤＤ１００は、カバー部材１０５の内側面に付着された弾性素子からなる加圧パッド１０７を備える。カバー部材１０５をベース部材１０１に結合すれば、加圧パッド１０７が、上部ＶＣＭブロック１５０の上部ヨーク１５３をベース部材１０１側に加圧するので、下部ＶＣＭブロック１４１と上部ＶＣＭブロック１５０との分離が抑制される。
【００３９】
このように、ベース部材１０１に対して固定されたクラッシュストッパー１６０のピン１６１の上端部が、上部ＶＣＭブロック１５０に収容されており、上部ＶＣＭブロック１５０のガイド突起１５８が、下部ＶＣＭブロック１４１のガイド溝１４４に収容されており、カバー部材１０５に付着された加圧パッド１０７によって、上部ＶＣＭブロック１５０が下部ＶＣＭブロック１４１に対して分離されないように加圧されているので、外乱によって衝撃が伝えられても、上部ＶＣＭブロック１５０は、ベース部材１０１または下部ＶＣＭブロック１４１に対して位置変動されない。
【００４０】
以下、図２〜図４を再び参照して、ＨＤＤ１００の製造方法を説明する。
【００４１】
このように、本発明の一実施の形態におけるＨＤＤ１００は、自動化生産設備を利用したトップダウン方式によって組み立てられる。まず、ベース部材１０１上にスピンドルモータ１１２を装着し、スピンドルモータ１１２にディスク１１０を固定結合する。また、ベース部材１０１上にランプ１７０を装着し、クラッシュストッパー１６０をベース部材１０１上に押し込み装着する。次に、ベース部材１０１上に下部ＶＣＭブロック１４１を配置し、次に、アクチュエータの後端部１３０が下部ＶＣＭブロック１４１上に位置するように、アクチュエータ１２０をベース部材１０１上に装着し、アクチュエータラッチ１７２を設置する。次に、上部ＶＣＭブロック１５０を下部ＶＣＭブロック１４１及びアクチュエータの後端部１３０上に配置する。
【００４２】
上部ＶＣＭブロック１５０のガイド突起１５８が下部ＶＣＭブロック１４１のガイド溝１４４と重なるように位置整列し、上部ＶＣＭブロック１５０を下部ＶＣＭブロック１４１及びアクチュエータの後端部１３０上に配置すれば、ガイド突起１５８がガイド溝１４４に収容されると同時に、上方に突出したクラッシュストッパー１６０のピン１６１も上部ＶＣＭブロック１５０の貫通孔１５５に収容される。
【００４３】
次に、ディスク１１０の外周の周辺に循環フィルタ１７５を装着し、カバー部材１０５をベース部材１０１と結合する。前記カバー部材１０５の内側面の加圧パッドは、上部ＶＣＭブロック１５０を下方に加圧して下部ＶＣＭブロック１４１と上部ＶＣＭブロック１５０との分離を抑制する。
【００４４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。例えば、本発明の特徴部である上部ＶＣＭブロックに上端部が収容されるクラッシュストッパーは、アクチュエータの時計回り方向のピボット範囲を制限することもある。
【産業上の利用可能性】
【００４５】
本発明は、ＨＤＤに適用され、さらに詳細には、ＶＣＭの上部ＶＣＭブロックと下部ＶＣＭブロックとの位置ずれのないためのＶＣＭの位置固定構造に適用できる。
【図面の簡単な説明】
【００４６】
【図１】従来のＶＣＭの一例を部分的に示す分解斜視図である。
【図２】本発明の一実施の形態によるＨＤＤを示す平面図である。
【図３】図２のＶＣＭを部分的に示す分解斜視図である。
【図４】図３のＩＶ−ＩＶ線の断面図である。
【符号の説明】
【００４７】
１００      ＨＤＤ
１０１      ベース部材
１０５      カバー部材
１０７      加圧パッド
１１０      ディスク
１１２      スピンドルモータ
１２０      アクチュエータ
１２１      ピボット中心
１２２      スイングアーム
１２３      サスペンション
１２５      スライダー
１２７      エンドタップ
１３０      アクチュエータの後端部
１３２      フック
１３３      クラッシュストッパー衝突部
１３５      ＶＣＭコイル
１４０      ＶＣＭ
１４１      下部ＶＣＭブロック
１４２      下部マグネット
１４３      下部ヨーク
１４４      ガイド溝
１５０      上部ＶＣＭブロック
１５２      上部マグネット
１５３      上部ヨーク
１５５      貫通孔
１５６      ヨーク側チャンファー
１５７      スペーサ
１５８      ガイド突起
１６０      クラッシュストッパー
１６１      ピン
１６２      ピン側チャンファー
１６３      ダンパー
１７０      ランプ
１７２      アクチュエータラッチ
１７５      循環フィルタ
【図１】
2007141433.tif 000003
【図２】
2007141433.tif 000004
【図３】
2007141433.tif 000005
【図４】
2007141433.tif 000006